(57)【要約】【課題】  解決しようとする課題の１つは液晶表示装置の薄型化と表示品質の改善であり、他の１つは液晶表示装置の照明効率の改善である。【解決手段】  少なくとも液晶３４内を透過する光を印加電圧に応じて制御する液晶層３４がそれぞれに電極を有し対向する下基板３８と上基板３２の間に封止された構成を有する液晶装置において、下基板３８と前記液晶層３４の間にコレステリック液晶層よりなる偏光反射層３６を配設し、下基板３８の前記液晶層３４と反対側の面側に光り吸収部材４０を配設し、前記上基板３２の前記液晶層３４側と反対の面側に少なくともλ／４の位相差層３０と偏光層２８を配設し、前記上基板の前記液晶層３４と反対側の面上にプリズムが形成されており、且つ前記第２基板の側方にＬＥＤよりなる光源４２が配設された液晶装置にある。【選択図】        図３
2006343553.tif 000002
【特許請求の範囲】
【請求項１】
対向する第１基板と第２基板の間に液晶を封止した液晶装置において、
前記第１基板と前記液晶層の間に偏光反射層を配設しこの第１基板の前記液晶層と反対側の面側に光り吸収部材を配設し、前記第２基板の前記液晶層側と反対の面側に少なくとも位相差層と偏光層を配設したことを特徴とする液晶装置。
【請求項２】
前記偏光反射層がコレステリック液晶層であることを特徴とする請求項１に記載の液晶表示装置。
【請求項３】
前記位相差層がλ／４の位相差を有する層であることを特徴とする請求項１または２に記載の液晶装置。
【請求項４】
前記第２基板の前記液晶層と反対側の面上が凹凸に形成されており、且つ光源からの光が前記第２基板の側面に入射する様に光源を配設したことを特徴とする請求項１または２または３に記載の液晶装置。
【請求項５】
前記凹凸が、断面三角形状をなすプリズムであることを特徴とする請求項１乃至４のいずれか一に記載の液晶装置。
【請求項６】
少なくとも液晶内を透過する光を印加電圧に応じて制御する液晶層がそれぞれに電極を有し対向する第１基板と第２基板の間に封止された構成を有する液晶装置において、
前記第１基板と前記液晶層の間にコレステリック液晶層よりなる偏光反射層を配設しこの第１基板の前記液晶層と反対側の面側に光り吸収部材を配設し、前記第２基板の前記液晶層側と反対の面側に少なくとも位相差層と偏光層を配設したことを特徴とする液晶装置。
【請求項７】
一対の透明基板間に狭持され、印加電圧に応じて入射光の位相を変調する液晶層と、一方の前記透明基板の外面に順に設けられた位相差板と偏光軸を有する偏光板と、他方の前記透明基板上の前記液晶層側に形成された偏光反射層と、前記液晶層と前記位相差板との間に形成されたフロントライトとを備えたことを特徴とする液晶装置。
【請求項８】
前記他方の透明基板の外面に、表示領域全面に、光吸収体を設けたことを特徴とする請求項７記載の液晶装置。
【発明の詳細な説明】
【技術分野】
【０００１】
本発明は、液晶を用いた液晶装置に関する発明であり、特に携帯電話などの携帯装置等の薄型あるいは小型の液晶表示装置により適する発明に関する。
【背景技術】
【０００２】
従来反射型でも、透過型でも使用可能な液晶表示装置は半透過型と呼ばれ、半透過反射板を用いていたが、半透過板での光吸収が大きく、反射型でも透過型でも表示が暗くなってしまうという問題があった。
そこで光利用効率を上昇させるためコレステリック液晶層からなる偏光反射層を半透過反射板の替わりに用いるという提案がある（例えば特許文献１、２参照）。
コレステリック液晶層は入射光のうちコレステリック液晶分子の螺旋構造と同じ回転方向円偏光成分をほぼ１００％反射し、反対回転方向円偏光成分をほぼ１００％透過させる性質があるため、従来の半透過反射板の替わりに用いると光利用効率を上昇させることが出来るという利点がある。
【０００３】
しかし、特許文献１は液晶表示装置の色再現性を改善することを目的としており、反射型の場合は入射光がカラーフィルターを２回通過した後認識されるが、バックライトを設けた透過型の場合はバックライト光がカラーフィルターを１回通過した後認識される。このため両光に対するカラーフィルターのフィルター効果が異なってしまうことによる色再現性の差を改善しようとした提案であるが、述べられていることは明るくしたら改善されたということが示されている。
また特許文献１の技術は照明装置としてバックライトを用いているので、液晶表示装置の厚さを薄くすることは難しく、小型化が要求される携帯機器向けの液晶表示装置としては厚さにも問題がある。
【０００４】
特許文献２はコレステリック液晶層の製造歩留まりを高めるための製造方法の提案であるが、特許文献２で示された液晶表示装置の構造では、バックライトを用いているうえ、さらにバックライト側に位相差板と偏光板とを配置しているため、特許文献１の構造と同様の問題を含んでいるので、液晶表示装置が厚くなってしまうという問題がある。
【０００５】
このように液晶表示装置、特に外光による反射型でも、照明光による透過型でも使用可能な液晶表示装置、においては色再現性の良さと薄さとの双方を実現するのは困難である。
また液晶表示装置は消費電力が小さいことが最大の利点であるため、コレステリック液晶層によって光利用効率が上昇したものの、さらなる低消費電力化が求められている。
【０００６】
また液晶表示装置の薄型化の観点からは、従来から多く用いられているバックライトに変えてフロントライトを用い、さらに該フロントライトの導光板を液晶パネルの透明基板で兼用するという提案がある（例えば特許文献３参照）。
その断面構造は図７に示すように、上側透明基板３２と下側透明基板３８との間に液晶層３４が狭持され、上側透明基板３２の液晶層３４側にはカラー表示器においてはカラーフィルター３３が形成される。上側透明基板３２の上方には偏光板２８が配置され、下側透明基板３８の下方には下側偏光板１１４と反射板１１６が配置されている。
フロントライトは光源４２と上方にプリズムを備えた上側透明基板３２とによって構成されており、上側透明基板３２をフロントライト用の導光板として兼ねているというもので、導光板の厚さ分液晶表示装置を薄くすることが出来るという大きな効果を生じていた。
しかしさらなる薄型化のためには下側透明基板３８の下方に配置された下側偏光板１１４と反射板１１６との厚みが問題となっていた。
なお以下の図において、同様の部材には同様の番号を付している。
【０００７】
なお照明装置の両面に液晶表示装置を設けるタイプの表示装置において、それぞれの液晶表示装置の大きさが異なる場合、小さい方の液晶表示装置側に照明光の漏れを防ぐため、部分的に光吸収体（遮光体）を設ける手段は提案されている（例えば特許文献４、図１２参照）。このような光吸収体は単なる光漏れ対策であり、かつ大きい方の液晶表示装置側から見ると表示領域に部分的に、小さい方の液晶表示装置側から見ると表示領域以外に設けられているものであり、後述する本発明で用いている光吸収体とは構成、目的、効果を異にするものである。
【０００８】
【特許文献１】特開２０００−１２２０５９
【特許文献２】特開２００２−３５０８３６
【特許文献３】特開２００３−０５７６５３
【特許文献４】特開２００４−４６０５０
【発明の開示】
【発明が解決しようとする課題】
【０００９】
解決しようとする課題の１つは液晶表示装置の薄型化と表示品質の改善であり、他の１つは液晶表示装置の照明効率の改善である。
【課題を解決するための手段】
【００１０】
上記課題を解決するための本発明の第１の手段は、対向する第１基板と第２基板の間に液晶を封止した液晶装置において、前記第１基板と前記液晶層の間に偏光反射層を配設しこの第１基板の前記液晶層と反対側の面側に光り吸収部材を配設し、前記第２基板の前記液晶層側と反対の面側に少なくとも位相差層と偏光層を配設したことを特徴とする。  
【００１１】
さらに、上記課題を解決するための本発明の第２の手段は、本発明の第１の手段において前記偏光反射層がコレステリック液晶層であることを特徴とする。
【００１２】
さらに、上記課題を解決するための本発明の第３の手段は、本発明の第２の手段において前記位相差層がλ／４の位相差を有する層であることを特徴とする。
【００１３】
さらに、上記課題を解決するための本発明の第４の手段は、本発明の第１または第２または第３の手段において前記第２基板の前記液晶層と反対側の面上が凹凸に形成されており、且つ光源からの光が前記第２基板の側面に入射する様に光源を配設したことを特徴とする。
【００１４】
さらに、上記課題を解決するための本発明の第５の手段は、本発明の第１乃至第４の手段のいずれか一の手段において前記凹凸が、断面三角形状をなすプリズムであることを特徴とする。
【００１５】
上記課題を解決するための本発明の第６の手段は、少なくとも液晶内を透過する光を
印加電圧に応じて制御する液晶層がそれぞれに電極を有し対向する第１基板と第２基板の間に封止された構成を有する液晶装置において、前記第１基板と前記液晶層の間にコレステリック液晶層よりなる偏光反射層を配設しこの第１基板の前記液晶層と反対側の面側に光り吸収部材を配設し、前記第２基板の前記液晶層側と反対の面側に少なくとも位相差層と偏光層を配設したことを特徴とする。
【００１６】
上記課題を解決するための本発明の第７の手段を用いた液晶装置は、一対の透明基板間に狭持され、印加電圧に応じて入射光の位相を変調する液晶層と、一方の前記透明基板の外面に順に設けられた位相差板と偏光軸を有する偏光板と、他方の前記透明基板上の前記液晶層側に形成された偏光反射層と、前記液晶層と前記位相差板との間に形成されたフロントライトとを備えたことを特徴とする。
さらに、上記課題を解決するための本発明の第８の手段を用いた液晶装置は、本発明の第７の手段において前記他方の透明基板の外面に、表示領域全面に、光吸収体を設けたことを特徴とする。
【発明の効果】
【００１７】
本発明によれば、液晶セルの外部に設けていた偏光反射板を内在型にすることができより薄型の液晶装置を得ることが出来る効果を有する。特に携帯電話などの携帯液晶表示装置には有益な効果が得られる。
また偏光反射板を内在型にしたため視差による色のにじみやゴースト（２重像）が解消され、表示品質の改善が計れる効果を有する。
さらに、コントラストが向上し、表示の見栄えが向上する効果を有する。
【発明を実施するための最良の形態】
【００１８】
本発明の最良の形態は、少なくとも液晶内を透過する光を印加電圧に応じて制御する液晶層がそれぞれに電極を有し対向する下基板と上基板の間に封止された構成を有する液晶装置において、下基板と前記液晶層の間にコレステリック液晶層よりなる偏光反射層を配設し、下基板の前記液晶層と反対側の面側に光り吸収部材を配設し、前記上基板の前記液晶層側と反対の面側に少なくともλ／４の位相差層と偏光層を配設し、前記上基板の前記液晶層と反対側の面上にプリズムが形成されており、且つ前記第２基板の側方にＬＥＤよりなる光源が配設された液晶装置にある。
すなわち、本発明は対向する第１基板と第２基板の間に液晶を封止した液晶装置において、前記第１基板と前記液晶層の間にコレステリック液晶層よりなる偏光反射層を配設しこの第１基板の前記液晶層と反対側の面側に光り吸収部材を配設し、前記第２基板の前記液晶層側と反対の面側に少なくとも位相差層と偏光層を配設した構成を成す。
【実施例１】
【００１９】
図１は本明細書で用いる説明用のマークの説明を記したマークの説明図である。
図１において、１０は図の上方から見て左回りの円偏光を示し、１２は図の上方から見て右回りの円偏光を示している。本明細書では光の進行方向とは関係なく、すべて図の上方から見た円偏光の回転方向を示すものとする。
１４はコレステリック液晶層３６の分子の螺旋状の回転方向をを示すマークで、１４のマークが図の上方から見て右回りの螺旋構造を持ったコレステリック液晶３６よりなる偏光反射層３６を示している。
１６は外光、照明光源光等の光源光を示しており、１８は直線偏光の光軸及び該光軸に平行な直線偏光、２０は直線偏光層の光軸と直交する直線偏光である。
２２は液晶層内で液晶分子が上層と下層とで９０度ツイストしている状態を示しており、この状態の液晶層を通過する光は位相がλ／２遅延される。２２で示した液晶の分子状
態は透明基板上の（以下の図で図示を省略した）電極間に閾値以上の電圧が印加されていない時、すなわちＯＦＦの状態である。
２４は液晶層内で液晶分子が直立している状態を示しており、この状態の液晶層を通過する光には位相遅れが生じない。２４で示した液晶の分子状態は透明基板上の（以下の図で図示を省略した）電極間に閾値以上の電圧が印加されている時、すなわちＯＮの状態である。
２６は光が吸収される状態を示している。
【００２０】
図２は、例えばコレステリック液晶層からなる、本明細書で用いる偏光反射層の光学的動作を説明する図である。
図２において、偏光反射層３６はコレステリック液晶層から成っており、コレステリック液晶３６の分子は図の上方から見て右回りの螺旋構造を有しているものとする。
光源光１００は偏光反射層３６に入射すると、図の上方から見て右回りの円偏光成分がほぼ１００％反射されて右回りの円偏光である反射光１０４となり、図の上方から見て左回りの円偏光成分がほぼ１００％透過されて左回りの円偏光である透過光１０２となる。したがって偏光反射層３６で吸収されてしまう光はきわめて少ない。
【００２１】
図の上方から見て左回りの円偏光１０６が偏光反射層３６に入射すると、円偏光の回転方向が偏光反射層３６のコレステリック液晶の分子の回転方向と逆であるため、ほぼ１００％透過されて左回りの円偏光である透過光１１２となる。
図の上方から見て右回りの円偏光１０８が偏光反射層３６に入射すると、円偏光の回転方向が偏光反射層３６のコレステリック液晶の分子の回転方向と一致するため、ほぼ１００％反射されて右回りの円偏光である反射光１１０となる。
このようにコレステリック液晶層から成る偏光反射層３６は光の吸収が少なく非常に光利用効率の高い半透過反射層として用いることが出来る。
【００２２】
図３は本発明による液晶表示装置の第１の実施例を示す断面図で、液晶がＯＦＦ状態における入射光の挙動を示している。
図３において、上側透明基板３２と下側透明基板３８との間に液晶層３４が枠状のシール部材で封止されており、この枠の内側あるいは前記シール部材の中には液晶層の厚みあるいは間隙を所定の寸法にするためのスペーサが配設されている。下側透明基板３８の液晶層３４側には、例えばコレステリック液晶層からなる、偏光反射層３６が下側透明基板３８の液晶層３４の基板面側に形成され、上側透明基板３２の液晶層３４側にはカラー表示器においてはカラーフィルタ３３が形成される。図示を省略しているが、カラーフィルタ３３は１つの画素毎に３原色のフィルターで構成されている。
上側透明基板３２の上方には順に位相差層３０，偏光層２８が配置され、下側透明基板３８の下方には、表示領域全面に、光吸収体４０が配置されている。
ここで、上側透明基板３２と下側透明基板３８とが「一対の透明基板」となっており、位相差層３０は位相差λ／４の層である。
【００２３】
フロントライトすなわち看視者側に配設される照明あるいは照明装置は、光源（例えば、ＬＥＤ、ランプ、蛍光管）４２と  上側透明基板の看視者側の面に凹凸を設け、この凹凸を断面三角形状をなすプリズムとしている上透明基板を有して構成される。
上方にプリズムを備えた上側透明基板３２を有するフロントライトは、液晶層３４と位相差層３０、偏光層２８との間に配置されている。このような構成は、上側透明基板３２をフロントライト用の導光板としても兼ねている。
このプリズムは上側透明基板３２上に直接樹脂で形成することもできる。
また、上透明基板３２の上に看視者側にプリズムを有する導光板を設けても良いが、このときには、光源が導光板の側方に導光板と隣接して設けても良い。
光吸収体４０は、例えばカーボン入りの樹脂のような、黒色の層を用いることが出来る
。
また図示を省略しているが、看視者側を上方とすると、偏光反射層３６の上方もしくは下方、カラーフィルタ３３の上方もしくは下方にはそれぞれ透明電極が形成され、該透明電極間に印加される電圧が液晶層の閾値以上の場合は液晶分子がＯＮ状態となって液晶層３４内で液晶分子が直立し、閾値以下の場合は液晶分子がＯＦＦ状態となって液晶層３４内で液晶分子が上層と下層とで９０度ツイストしている状態となる。該ツイスト状態は図示していない配向膜によって規定されている。図３は液晶分子がＯＦＦの状態である。
【００２４】
フロントライトを構成する光源４２の出射光４３は導光板を兼ねた上側透明基板３２に入射されプリズム部で反射されて液晶層３４側へ向かう光４４となる。該光４４が偏光反射層３６に入射すると、図の上方から見て左回りの円偏光成分は透過されて透過光４６となるが光吸収体４０によって吸収される。図の上方から見て右回りの円偏光成分は反射されて反射光４８となるが、９０度ツイストしている液晶層３４で位相がλ／２遅延されることにより、液晶層３４を出た光５０は図の上方から見て左回りの円偏光に変換されている。該左回りの円偏光はλ／４の位相を遅らせる位相差層３０によって直線偏光層２８の光軸と直交する直線偏光５２に変換され、直線偏光層２８で吸収される。
【００２５】
外光５４は直線偏光層２８で直線偏光層２８の光軸に平行な直線偏光５６のみが透過される。該直線偏光５６は位相差層３０でλ／４の位相を遅らされ、右回りの円偏光５８となる。該右回り円偏光５８は液晶層３４内で位相をλ／２遅延され左回り円偏光となり、偏光反射層３６を透過する光６２となるが光吸収体４０によって吸収される。
このように光源光４３、外光５４共に直線偏光層２８もしくは光吸収体４０によって吸収され液晶表示装置の表示は黒表示となる。
図３の構成では液晶層３４に閾値以上の電圧が印加されていない状態で黒表示になる、いわゆるノーマリー黒仕様の液晶表示装置を説明したが、直線偏光層２８の光軸、位相差層３０の遅相軸、偏光反射層３６におけるコレステリック液晶の分子の回転方向等を変えることにより閾値以上の電圧が印加されていない状態で白表示になる、いわゆるノーマリー白仕様の液晶表示装置を容易に実現出来ることは勿論である。
【００２６】
このように本発明の実施例は、少なくとも液晶３４内を透過する光を印加電圧に応じて制御する液晶層３４がそれぞれに電極を有し対向する下基板３８と上基板３２の間に封止された構成を有する液晶装置において、下基板３８と前記液晶層３４の間にコレステリック液晶層よりなる偏光反射層３６を配設し、下基板３８の前記液晶層３４と反対側の面側に光り吸収部材４０を配設し、前記上基板３２の前記液晶層３４側と反対の面側に少なくともλ／４の位相差層３０と偏光層２８を配設し、前記上基板の前記液晶層３４と反対側の面上にプリズムが形成されており、且つ前記第２基板の側方にＬＥＤよりなる光源４２が配設された液晶装置にある。
【００２７】
図４は本発明による液晶表示装置の第１の実施例を示す断面図で、液晶がＯＮ状態における入射光の挙動を示している。
図４の構成は図３と同様であり、液晶層３４の液晶分子がＯＮ状態となっていることのみが異なっている。
図４において、フロントライトを構成する光源４２の出射光４３は導光板を兼ねた上側透明基板３２に入射されプリズム部で反射されて液晶層３４側へ向かう光４４となる。該光４４が偏光反射層３６に入射すると、図の上方から見て左回りの円偏光成分は透過されて透過光４６となるが光吸収体４０によって吸収される。図の上方から見て右回りの円偏光成分は反射されて反射光４８となり、液晶層３４の液晶分子が直立しているため液晶層３４内で右回りの円偏光である状態を保つ。液晶層３４を出た光５０は図の上方から見て右回りの円偏光であり、該右回りの円偏光はλ／４の位相を遅らせる位相差層３０によって直線偏光層２８の光軸と平行な直線偏光５２に変換され、直線偏光層２８を透過して液
晶表示装置外からの認識が可能となる。
【００２８】
外光５４は直線偏光層２８で直線偏光層２８の光軸に平行な直線偏光５６のみが透過される。該直線偏光５６は位相差層３０でλ／４の位相を遅らされ、右回りの円偏光５８となる。該右回り円偏光５８は液晶層３４内に入射される光６０となるが、液晶層３４の液晶分子が直立しているため液晶層３４内で右回りの円偏光である状態を保つ。該右回り円偏光６０は偏光反射層３６で反射されて右回り円偏光の反射光６６となり右回り円偏光５９として液晶層３４を出る。液晶層３４を出た光５９は図の上方から見て右回りの円偏光であり、該右回りの円偏光はλ／４の位相を遅らせる位相差層３０によって直線偏光層２８の光軸と平行な直線偏光６８に変換され、直線偏光層２８を透過して液晶表示装置外からの認識が可能となる。
このように光源光４３、外光５４共に直線偏光層２８を透過し液晶表示装置の表示は白表示となる。
【００２９】
図３，４から明らかなように本発明の構成による液晶表示装置は液晶のＯＮ，ＯＦＦ状態を切り替えることによって表示の黒状態、白状態を切り替えることが出来、表示装置として機能する。
【００３０】
図３，４で説明したように本発明の構成によれば、透明基板間に設けた偏光反射層３６の働きで、図７で示したような下側透明基板３８の下方に設ける偏光層１１４，反射板１１６を除去することが可能となり、液晶表示装置の薄型化に顕著な効果がある。
また偏光反射層３６を透明基板間の液晶側に内在化したため、下側透明基板の厚さによって生じる斜め光による視差や、カラー表示器として用いた時の色の「にじみ」等が解消され、液晶表示装置の表示品質を上昇させることが出来る。
さらに照明をフロントライトタイプとし、偏光層２８とカラーフィルタ３３との間に設けたため、照明光も外光もカラーフィルタを２回通ることとなり、照明光による表示でも外光による表示でも色度の差が出ることはないという特有な効果が生じる。このような効果は特許文献１，２の提案にある構成では得られないものであり、従来技術からは予期出来ない顕著な効果である。
【実施例２】
【００３１】
図５は本発明による液晶表示装置の第２の実施例を示す断面図である。
図５の実施例においては、上側透明基板３２と下側透明基板３８との間に液晶層３４が狭持され、下側透明基板３８の液晶層３４側に順に光吸収体４０と偏光反射層３６が透明基板から見て液晶層３４側の内部に形成され、かつ光吸収体４０と偏光反射層３６とは表示領域全面に形成されており、上側透明基板３２の液晶層３４側にはカラー表示器においてはカラーフィルタ３３が形成される。図示を省略しているが、カラーフィルタ３３は１つの画素毎に３原色のフィルターで構成されている。
上側透明基板３２の上方には順に位相差層３０，偏光層２８が配置されている。
【００３２】
すなわち図５に示した第２の実施例が図３，４に示した第１の実施例と異なるのは光吸収体４０を下側透明基板３８と偏光反射層３６との間に内在化させたことである。
このように構成すると偏光反射層３６と光吸収体４０との間に下側透明基板３８が介在しないため、図４に示した下側透明基板３８の表面７２，７４での反射光、光吸収体４０で吸収出来なかった光の反射光等が生じなくなる。したがって視差や、カラー表示器として用いた時の色の「にじみ」等が解消され、液晶表示装置の表示品質をさらに改善することが出来る。
【００３３】
図６は本発明による液晶表示装置の他の態様を示した図で、図５においては上側透明基板３２がフロントライトの導光板を兼ねていたのに対し、図６の態様では上側透明基板
９４の上部にフロントライト用導光板９２が設けられている。フロントライト用導光板９２としては、例えばアクリル系の樹脂で作られた上部にプリズムが設けられたものを用いることが出来る。
このようにフロントライト用導光板９２を液晶パネルとは別体にすると、薄型化の効果は薄れるが他の効果である表示品質を向上するとの効果は得ることができ、かつ製造コストの安価化、製造の容易化が可能という利点がある。
【００３４】
以上説明したように、本発明によれば薄型でかつ表示品質の高い液晶表示装置が得られる。  また照明効率の大幅な改善も可能であり効果は大きい。
【図面の簡単な説明】
【００３５】
【図１】本明細書で用いるマークの説明図である。
【図２】本明細書で用いる偏光反射層の光学的動作を説明する図である。
【図３】本発明による液晶表示装置の第１の実施例を示す断面図で、液晶がＯＦＦ状態における入射光の挙動を示している。
【図４】本発明による液晶表示装置の第１の実施例を示す断面図で、液晶がＯＮ状態における入射光の挙動を示している。
【図５】本発明による液晶表示装置の第２の実施例を示す断面図である。
【図６】本発明による液晶表示装置の他の態様を示した断面図である。
【図７】従来のフロントライト型液晶表示装置の断面図である。
【符号の説明】
【００３６】
２８    直線偏光層
３０    位相差層
３２    上側透明基板
３３    カラーフィルタ
３４    液晶層
３６    偏光反射層
３８    下側透明基板
４０    光吸収体
４２    光源
４３    出射光
５４    外光
５６    直線偏光
７２，７４    下側透明基板の表面
９２    フロントライト用導光板
９４    上側透明基板
【図１】
2006343553.tif 000003
【図２】
2006343553.tif 000004
【図３】
2006343553.tif 000005
【図４】
2006343553.tif 000006
【図５】
2006343553.tif 000007
【図６】
2006343553.tif 000008
【図７】
2006343553.tif 000009